(57)【要約】【課題】収容した棒状の食材を整列させ、より正確に計量して直接取り出すことが可能な計量機能付き食品保存容器を提供する。【解決手段】本発明の計量機能付き食品保存容器は、棒状の食材（６０）が収容される筒状の容器本体（１０）と、その容器本体（１０）の上面に開口され、所定量の前記食材（６０）を計量して容器本体（１０）内から取り出すための計量口（２２）とを備える。容器本体（１０）内には、その内周壁（１２）から当該容器本体（１０）の内部空間（１８）に向けて突出すると共に前記容器本体（１０）の軸方向に延ばされて、前記食材（６０）の軸が前記容器本体（１０）の軸と平行するように整列させる仕切壁（１６）が設けられており、前記計量口（２２）は、平面視において、前記仕切壁（１６）の突出方向基部の近傍であって、その内周面（２２Ａ）が前記仕切壁（１６）の表面（１６Ａ）に接する位置に設けられる。【選択図】図１
2020196531.tif 000002
【特許請求の範囲】
【請求項１】
棒状の食材（６０）が収容される筒状の容器本体（１０）と、その容器本体（１０）の上面に開口され、所定量の前記食材（６０）を計量して前記容器本体（１０）内から取り出すための計量口（２２）とを備えた計量機能付き食品保存容器であって、
前記容器本体（１０）内には、その内周壁（１２）から当該容器本体（１０）の内部空間（１８）に向けて突出すると共に前記容器本体（１０）の軸方向に延ばされて、前記食材（６０）の軸が前記容器本体（１０）の軸と平行するように整列させる仕切壁（１６）が設けられており、
前記計量口（２２）は、平面視において、前記仕切壁（１６）の突出方向基部の近傍であって、その内周面（２２Ａ）が前記仕切壁（１６）の表面（１６Ａ）に接する位置に設けられる、
ことを特徴とする計量機能付き食品保存容器。
【請求項２】
請求項１の計量機能付き食品保存容器において、
前記仕切壁（１６）の形状が平面視でＳ字状であり、
当該仕切壁（１６）における前記容器本体（１０）の内周壁（１２）側の第１湾曲部分（１６Ｂ）の曲率半径が、円形に設けられた前記計量口（２２）の半径と一致するように設定された、ことを特徴とする計量機能付き食品保存容器。
【請求項３】
請求項１又は２の計量機能付き食品保存容器において、
前記計量口（２２）が設けられた蓋部（２０）に重ねて設置され、前記計量口（２２）と重なることによりその開口の大きさを可変する複数サイズの計量調節口（３２）が穿設された計量口変更ダイヤル（３０）を備えた、ことを特徴とする計量機能付き食品保存容器。
【請求項４】
請求項１乃至３の何れかの計量機能付き食品保存容器において、
蓋部（２０）に重ねて設置され、容器内部空間（１８）に収容している棒状の食材（６０）に関する情報を、切替可能に表示できるダイヤル式表示板（３６、３８）が設けられた、ことを特徴とする計量機能付き食品保存容器。
【発明の詳細な説明】
【技術分野】
【０００１】  パスタや素麺などの乾麺やプレッツェルなどの棒状の食材を保存するための容器に関する
【背景技術】
【０００２】  棒状の食材を保存するための容器については、有底筒状の容器が一般的であり、そのうえで、多量に入れた棒状の食材を必要な量だけ効率的に取り出す方法が問題となっている。実開昭６１−１４７７６８４号公報の食品用保存容器や、特開２００１−４８２６１号公報の麺類ストッカー、特開２００５−１１２４５９号公報の好きな量だけパスタが取り出せるパスタケース、特許第５７４６６０９号公報の乾麺用計量器および乾麺収納容器があるように、有底筒状の容器の上部蓋に内容物を出すための様々な形態の孔を設けることによって希望の量を容器から直接取り出すことについて工夫がなされてきた。
【先行技術文献】
【特許文献】
【０００３】
【特許文献１】実開昭６１−１４７７６８４号公報
【特許文献２】特開２００１−４８２６１号公報
【特許文献３】特開２００５−１１２４５９号公報
【特許文献４】特許第５７４６６０９号公報
【発明の概要】
【発明が解決しようとする課題】
【０００４】  棒状の食材を多量にまとめて保存しておいて、その中から調理の際に必要な量を取り出す場合、具体的には１００ｇや８０ｇなどを、だいたいの目安で取り出してから秤で重さを量り微調整するという作業が必要である。しかし、これは手間と時間が掛かることであるため、上述のように、保存容器から直接手間なく目的の量の前記食材を取り出せる容器がこれまでも考案されてきたが、容器内部に保存された前記食材の向きがばらばらになっていて中には多方向に斜めに存在している個体もあるため、あまり正確な量の取り出しが出来ず利便性が高くないという問題があった。
とりわけ昨今は、健康管理のため、例えばスパゲティなどの棒状の食材の量についてより正確に把握することが必要な場合も多く、容器内部から正確な量の食材が量り取れる保存容器へのニーズがより一層高まっていると言える。【０００５】  それゆえに、本発明の計量機能付き食品保存容器は、より正確な量の棒状の食材の取り出しを可能にし、さらには取り出す量も複数から選べる、棒状の食材の保存容器の提供を目的とする。
また、保存する棒状の食材のサイズ（太さ）や調理（ボイル）時間の表示を同時に行える工夫も提案するものである。
【課題を解決するための手段】
【０００６】  上記の目的を達成するため、本発明は、例えば図１から図６に示すように、計量機能付き食品保存容器を次のように構成した。
すなわち、棒状の食材（６０）が収容される筒状の容器本体（１０）と、その容器本体（１０）の上面に開口され、所定量の前記食材（６０）を計量して前記容器本体（１０）内から取り出すための計量口（２２）とを備えた計量機能付き食品保存容器であって、
前記容器本体（１０）内には、その内周壁（１２）から当該容器本体（１０）の内部空間（１８）に向けて突出すると共に前記容器本体（１０）の軸方向に延ばされて、前記食材（６０）の軸が前記容器本体（１０）の軸と平行するように整列させる仕切壁（１６）が設けられており、
前記計量口（２２）は、平面視において、前記仕切壁（１６）の突出方向基部の近傍であって、その内周面（２２Ａ）が前記仕切壁（１６）の表面（１６Ａ）に接する位置に設けられる、
ことを特徴とする。【０００７】  また、本発明においては、前記仕切壁（１６）の形状が平面視でＳ字状であり、当該仕切壁（１６）における前記容器本体（１０）の内周壁（１２）側の第１湾曲部分（１６Ｂ）の曲率半径が、円形に設けられた前記計量口（２２）の半径と一致するように設定されるのが好ましい。この場合、前記計量口（２２）に対応する棒状の食材（６０）の軸がより一層容器本体（１０）の軸と平行する（前記計量口（２２）の開口面に対して直交する）ように整列させることができる。【０００８】  また、本発明においては、前記計量口（２２）が設けられた蓋部（２０）に重ねて設置され、前記計量口（２２）と重なることによりその開口の大きさを可変する複数サイズの計量調節口（３２）が穿設された計量口変更ダイヤル（３０）を備えるのが好ましい。このような計量口変更ダイヤル（３０）を備えることにより、前記計量口（２２）から取り出す前記食材（６０）の量を可変することができる。【０００９】  さらに、本発明においては、蓋部（２０）に重ねて設置され、容器内部空間（１８）に収容している棒状の食材（６０）に関する情報を、切替可能に表示できるダイヤル式表示板（３６、３８）を設けるのが好ましい。
【発明の効果】
【００１０】  本発明によれば、容器本体内の棒状の食材の軸が、仕切壁によって容器本体の軸方向に向くように整列されるので、棒状の食材を容器本体からその容器本体上面に開口された計量口を通じて取り出すとき、その目標とする量の前記食材を正確に取り出すことが期待できる。
また、利用頻度の高い複数の取り出し量が設定された計量口変更ダイヤルを設けることによって、効率よく希望する量の棒状の食材を取り出すことができる。
さらに、ダイヤル式表示板を設けて、棒状の食材のサイズ（太さ）、調理（ボイル）時間といった重要な情報を容器本体に表示することで、前記食材の購入時の外袋等を保管する必要がなくなる。
【図面の簡単な説明】
【００１１】
【図１】本発明の一実施形態の計量機能付き食品保存容器を、パーツ毎に分解して表した構成図である。
【図２】本発明の容器本体の一例を示す平面図である。
【図３】本発明の蓋部の一例を示す平面図である。
【図４】図３で示した蓋部の背面図である。
【図５】図４におけるＡ−Ａ線断面図である。
【図６】本発明の第二の実施形態の計量機能付き食品保存容器を、パーツ毎に分解して表した構成図である。
【発明を実施するための形態】
【００１２】  以下、本発明の計量機能付き食品保存容器（５０）の第１実施形態について図１から図５を用いて説明する。
図１は、本実施形態の計量機能付き食品保存容器（５０）をパーツ毎に分解して表した構成図である。この図が示すように、本実施形態の計量機能付き食品保存容器（５０）は、容器本体（１０）、計量口変更ダイヤル（３０）、ダイヤル式表示板（３６および３８）、上蓋部（４０）から大略構成される。
なお、各パーツを構成する材料は金属、プラスチック等何でもよいが、内部が見えるよう透明性のあるアクリル樹脂材等で形成されていることが好ましい。
【００１３】  また、本明細書（図面を含む）では、各符号に関し、各部位を上位概念で示す場合にはアルファベットの枝番をつけずアラビア数字のみで示し、各部位を区別する必要がある場合（すなわち下位概念で示す場合）にはアルファベットの小文字の枝番をアラビア数字に付して区別する。
【００１４】  容器本体（１０）は、乾麺などの棒状の食材（６０）を収容して虫食いや水濡れ等を防ぎながら保存するためのものであり、円筒状側壁部（１３）、底蓋部（１４）、仕切壁（１６）、蓋部（２０）から構成される。
【００１５】  容器本体（１０）の高さを形成する円筒状側壁部（１３）は、棒状の食材（６０）を立てて収容するためそれに必要十分な高さを有する必要がある。
【００１６】  底蓋部（１４）は、容器本体（１０）において円筒状側壁部（１３）の下部を塞ぐ部材である。容器本体（１０）が自立するためには、底蓋部（１４）は平らな形状である必要がある。また、容器本体（１０）内に棒状の食材（６０）を入れるために、底蓋部（１４）は着脱自在となっている。なお、図示実施形態では、底蓋部（１４）がねじ込み式にて形成されたものを示しているが、この底蓋部（１４）は、容器本体（１０）内に収容した前記食材（６０）の重さで円筒状側壁部（１３）の下部から容易に脱落しないものであれば、如何なる形態であってもよい。
【００１７】  仕切壁（１６）は、容器本体（１０）の内周壁（１２）から容器本体（１０）の内部空間（１８）に向けて突出し、容器本体（１０）の軸方向に延ばされて、棒状の食材（６０）の軸が容器本体（１０）の軸と平行するように整列させるための部材であり、本実施形態では、収容される棒状の食材（６０）を内周壁（１２）近傍の所定の一箇所により効率よく誘導し整列させるために、平面視でＳ字状に湾曲する形状にて形成される。とりわけ、内周壁（１２）側の第１湾曲部分（１６Ｂ）は、曲率半径が後述する計量口（２２）の半径と一致するように形成されている。
【００１８】  蓋部（２０）は容器本体（１０）の上部を塞ぐ蓋材であり、この蓋部（２０）には、収容された棒状の食材（６０）を取り出すための円形の計量口（２２）が設けられる。その計量口（２２）の開口位置は前記仕切壁（１６）の突出方向基部の近傍であり、平面視にてその内周面（２２Ａ）が前記仕切壁（１６）の表面（１６Ａ）に接する位置に設けられる。
また、計量口（２２）は、本実施形態においては１００ｇの棒状の食材（６０）〔より具体的には乾麺のスパゲッティ〕の束が通るサイズであり、その計量口（２２）の半径が前記仕切壁（１６）の前記第１湾曲部分（１６Ｂ）の曲率半径と一致するように、平面視で前記仕切壁（１６）における内周壁（１２）側の第１湾曲部分（１６Ｂ）の内側に設けられる。
【００１９】  計量口変更ダイヤル（３０）は、容器本体（１０）内から量り取り出す棒状の食材（６０）の量を可変するための部材であり、本実施形態では、蓋部（２０）の下面側に回転可能にて設置される。具体的には、この計量口変更ダイヤル（３０）は、大きさが異なる円形の計量調節口（３２）が周方向に複数（図示実施形態の場合は３つ）開口している円盤状の計量口変更ダイヤル本体（３１）と、計量口変更ダイヤル本体（３１）の中央から上方に向けて突出した計量口変更ダイヤル回転軸（３４）と、その計量口変更ダイヤル回転軸（３４）の上部に取り付けられる計量口変更ダイヤルハンドル部（３５）とから成る。
【００２０】  本実施形態においては、計量口変更ダイヤル本体（３１）は、蓋部（２０）の下面に接して設けられる。計量口変更ダイヤル回転軸（３４）は、蓋部（２０）に穿設された計量口変更ダイヤル用孔（２１）に挿通され、蓋部（２０）の上面へと突出し、その上部に蓋部（２０）上側から計量口変更ダイヤルハンドル部（３５）が取り付けられる。これにより、蓋部（２０）の下面にて計量口変更ダイヤル本体（３１）が回転可能に設置される。
【００２１】  計量口変更ダイヤルハンドル部（３５）は、計量口（２２）と重ねる計量調節口（３２）を選択して変更するために計量口変更ダイヤル本体（３１）を回転操作するための部材である。
【００２２】  本実施形態では、計量調節口（３２）が、１００ｇの棒状の食材（６０）が束状にて通過するサイズの計量調節口（３２ａ）、８０ｇの棒状の食材（６０）が束状にて通過するサイズの計量調節口（３２ｂ）、および６０ｇの棒状の食材（６０）が束状にて通過するサイズの計量調節口（３２ｃ）の３種類から成り、計量口（２２）と重なることによりその開口の大きさを変更することができる。
【００２３】  ここで、上記３種類それぞれの計量を行うとき、各計量調節口（３２ａ、３２ｂ、３３ｃ）の何れかが計量口（２２）と重なっているときの計量数値を表示するため、計量値用の数字表示窓（２４）を蓋部（２０）の所定箇所に設ける。計量口変更ダイヤル本体（３１）の上面にはあらかじめ数字が記載され、１００ｇの棒状の食材（６０）を計量しているとき、８０ｇの棒状の食材（６０）を計量しているとき、および６０ｇの棒状の食材（６０）を計量しているときに、それぞれの計量値が前記数字表示窓（２４）に現れるようになっている。
【００２４】  また、計量口（２２）の通過可能な棒状の食材（６０）は１００ｇであるのに対して、計量調節口（３２ａ）を使用するときは同じ１００ｇを、計量調節口（３２ｂ）を使用するときは８０ｇを、計量調節口（３２ｃ）を使用するときは６０ｇの前記食材（６０）を、確実に計量口（２２）に誘導するために、それぞれの計量調節口（３２ａ、３２ｂ、３２ｃ）の周縁に沿っては、前記食材（６０）の過剰な量の通過を堰き止めるための短円筒状突起部（３３ａ、３３ｂ、３３ｃ）が下方つまり内部空間（１８）へ向けて設けられている。
【００２５】  短円筒状突起部（３３ａ、３３ｂ、３３ｃ）は、計量調節口（３２ａ、３２ｂ、３２ｃ）を計量口（２２）と重ねて使用するとき、それぞれの取り出す目標とする量に対して、より等しい量の前記食材（６０）を、計量調節口（３２ａ、３２ｂ、３２ｃ）、ひいては計量口（２２）へと導くために機能する。
計量を正確にするため、短円筒状突起部（３３）は下方に向けてその外径が縮径するテーパー形状となっている。
【００２６】  また、蓋部（２０）には、前記計量口変更ダイヤル（３０）以外に、棒状の食材（６０）のサイズ（太さ）を表示するためのサイズ用ダイヤル式表示板（３６）と、棒状の食材（６０）の調理（ボイル）時間を表示するための時間用ダイヤル式表示板（３８）が設置されている。
それぞれ、ダイヤル式表示板本体（３６Ａおよび３８Ａ）、ダイヤル式表示板本体（３６Ａおよび３８Ａ）の中央から上方へ突出しているダイヤル式表示板回転軸（３６Ｂおよび３８Ｂ）、およびダイヤル式表示板回転軸（３６Ｂおよび３８Ｂ）の上部に取り付けられるダイヤル式表示板ハンドル部（３６Ｃおよび３８Ｃ）から成っている。
【００２７】  本実施形態においては、ダイヤル式表示板本体（３６Ａおよび３８Ａ）は蓋部（２０）の下面に設けられる。ダイヤル式表示板回転軸（３６Ｂおよび３８Ｂ）は、蓋部に穿設されたダイヤル式表示板用孔（２７および２９）に挿通され、蓋部（２０）上面へと突出し、そのダイヤル式表示板回転軸（３６Ｂおよび３８Ｂ）の上部に蓋部（２０）上側からダイヤル式表示板ハンドル部（３６Ｃおよび３８Ｃ）が取り付けられる。
したがって、蓋部（２０）の上面にてダイヤル式表示板ハンドル部（３６Ｃおよび３８Ｃ）を指でつまみ回転させれば、それに従ってダイヤル式表示板本体（３６Ａおよび３８Ａ）も回転して、蓋部（２０）の所定箇所に設けられた数字表示窓（２６および２８）に、ダイヤル式表示板本体（３６Ａおよび３８Ａ）表面に記載された数字の中から希望の数字が現れるように調節することができる。
【００２８】  上蓋部（４０）は、容器本体（１０）の上部に着脱自在に取り付けられ、計量口変更ダイヤル（３０）、ダイヤル式表示板（３６および３８）、および内容物である棒状の食材（６０）を保護するための部材である。
【００２９】  次に、以上のように構成された第１実施形態の計量機能付き食品保存容器（５０）について、その使用手順を説明する。
代表的な棒状の食材（６０）として、例えば１ｋｇのスパゲティを底蓋部（１４）から容器本体（１０）の内部空間（１８）へ入れる。ここで、容器本体（１０）の容量が前記１ｋｇのスパゲティの容積を上回る場合には、スパゲティは棒状でばらばらであるから、内部空間（１８）内で１本１本がそれぞれ異なる方向を向いて存在している状態となる。
この状態から、スパゲティを１００ｇ取り出したい場合の動作を順に説明する。
【００３０】  まず、容器本体（１０）から上蓋部（４０）を外し、蓋部（２０）を露出させる。蓋部（２０）の上面に設置された、計量口変更ダイヤル（３０）の計量口変更ダイヤルハンドル部（３５）を指で回転させて、３種類ある計量調節口（３２）の中から１００ｇ用の計量調節口（３２ａ）を選択して、１００ｇ用の計量調節口（３２ａ）が計量口（２２）の直下に位置するように調節する。
【００３１】  次に、上蓋部（４０）を外した計量機能付き食品保存容器（５０）全体を、少し傾けながら水平方向に軽く回転させるように動かす。すると、スパゲティが仕切壁（１６）と内周壁（１２）に沿って滑り動くので、仕切壁（１６）の内周壁（１２）側の第１湾曲部分（１６Ｂ）内側へとスパゲティを集めていく。
【００３２】  この過程で、最初１本１本ばらばらに異なる方向を向いていたスパゲティは、仕切壁（１６）の内周壁（１２）側の第１湾曲部分（１６Ｂ）内側へと寄りながら容器本体（１０）の軸方向と平行に整列する。したがって、仕切壁（１６）の内周壁（１２）側の第１湾曲部分（１６Ｂ）の真上に位置する１００ｇ用の計量調節口（３２ａ）および計量口（２２）の開口面に対して、集合したスパゲティはほぼ垂直方向に立つ状態となる。同時に、集合したスパゲティは、１００ｇ用の計量調節口（３２ａ）周縁の短円筒状突起部（３３ａ）の長さ方向とはほぼ平行になっている。
【００３３】  上記手順によって仕切壁（１６）の内周壁（１２）側の第１湾曲部分（１６Ｂ）内側にスパゲティが整列して集合したら、その状態のまま容器本体（１０）の天地が逆転するように上蓋部（４０）を外した計量機能付き食品保存容器（５０）を傾けて、集合したスパゲティが仕切壁（１６）と内周壁（１２）に誘導されて１００ｇ用の計量調節口（３２ａ）および計量口（２２）の開口面に向けて垂直に当たるように滑らせる。
【００３４】  滑り出したスパゲティは、まず短円筒状突起部（３３ａ）の先端に当たり、短円筒状突起部（３３ａ）が形作るトンネル部分の内側に存在するスパゲティのみが短円筒状突起部（３３ａ）のトンネル部分を通過し、１００ｇ用の計量調節口（３２ａ）に入っていく。短円筒状突起部（３３ａ）によって１００ｇ用の計量調節口（３２ａ）に入ることを妨げられたスパゲティを残して、１００ｇ用の計量調節口（３２ａ）を通過したスパゲティの束は、続いて重ね合わされた計量口（２２）も通過した結果、本体（１０）上部から１００ｇのスパゲティの束が取り出される。
【００３５】  ここまで、スパゲティ１００ｇを量り取り出す手順を説明したが、仮に、スパゲティ８０ｇを取り出したい場合は、上述の手順の最初の部分を変える。
つまり、容器本体（１０）から上蓋部（４０）を外して蓋部（２０）を露出させ、蓋部（２０）の上面に設置された計量口変更ダイヤル（３０）の計量口変更ダイヤルハンドル部（３５）を回転させて、３種類ある計量調節口（３２）の中から８０ｇ用の計量調節口（３２ｂ）を選択して、８０ｇ用の計量調節口（３２ｂ）が計量口（２２）の直下に位置するように調節する。
以下の手順は同様である。
【００３６】  続いて、ダイヤル式表示板（３６および３８）について説明する。
収容するスパゲティのサイズ（太さ）を表示するためにサイズ用ダイヤル式表示板（３６）を、収容するスパゲティの調理（ボイル）時間を表示するために時間用ダイヤル式表示板（３８）を、それぞれ操作する。
つまり、それぞれのダイヤル式表示板ハンドル部（３６Ｃおよび３８Ｃ）を指でつまみ回転させると、ダイヤル式表示板回転軸（３６Ｂおよび３８Ｂ）を通じてダイヤル式表示板本体（３６Ａおよび３８Ａ）が回転するので、蓋部（２０）の所定箇所に開口されたそれぞれに対応する数字表示窓（２６および２８）に、ダイヤル式表示板本体（３６Ａおよび３８Ａ）表面にあらかじめ記載されている数字の中から、表示したい数字を選択して表示される状態に調節すればよい。
【００３７】  なお、上述の第１実施形態においては、仕切壁（１６）をＳ字状としたが、仕切壁（１６）の形状はこれに限定されるものではなく、例えばストレートな直板形状であってもよい。但し、この場合でも、平面視において、仕切壁（１６）の突出方向基部近傍にて、その仕切壁（１６）の表面（１６Ａ）と計量口（２２）の内周面（２２Ａ）とが接するように設けられる必要がある。
【００３８】  また、仕切壁（１６）がＳ字状である本実施形態の場合、使用者の利き手に応じてＳ字の向きを変えて仕切壁（１６）を設置するとより使いやすく便利である。
つまり、使用者が右手で容器本体（１０）を持ち使用する場合は、計量口（２２）が右手の親指近辺にあるとき、仕切壁（１６）の第１湾曲部分（１６Ｂ）のカーブが計量口（２２）に対して親指側に位置するようなＳ字状の仕切壁（１６）が設置されているのが良い。
逆に、使用者が左手で容器本体（１０）を持ち使用する場合は、計量口（２２）が左手の親指近辺にあるとき、仕切壁（１６）の第１湾曲部分（１６Ｂ）のカーブが計量口（２２）に対して親指側に位置するようなＳ字状の仕切壁（１６）が設置されているのが好ましい。
【００３９】  また、本実施形態においては、短円筒状突起部（３３）を設けた計量口変更ダイヤル本体（３１）を用いているが、短円筒状突起部（３３）は必ずしも必要ではなく、さらには、短円筒状突起部（３３）を設けない計量口変更ダイヤル本体（３１）を蓋部（２０）の下面ではなく上面に回転可能にて設置するようにしてもよい。
【００４０】  また、本実施形態においては、スパゲティ１００ｇ、８０ｇ、および６０ｇの計量が可能な場合を説明したが、計量口（２２）と計量調節口（３２）の大きさについては、これに限定されるものではなく、棒状の食材（６０）の種類や必要とする計量値に応じてその大きさを適宜変更することもできる。
【００４１】  また、本実施形態においては、上蓋部（４０）を使用したが、計量口（２２）および計量調節口（３２）をふさぐことができるのであれば、例えば直接シャッター状の覆いを付けてもよい。
【００４２】  また、本実施形態においては、サイズ用ダイヤル式表示板（３６）と時間用ダイヤル式表示板（３８）それぞれのダイヤル式表示板本体（３６Ａおよび３８Ａ）は蓋部（２０）の下面に設置しているが、上面に回転可能にて設置してもよい。その場合は、蓋部（２０）に設けた数字表示窓（２６および２８）は不要となり、替わりの数字表示方法が採用される。例えば、ダイヤル式表示板本体（３６Ａおよび３８Ａ）に矢印が設けられ、蓋部（２０）上面のダイヤル式表示板本体（３６Ａおよび３８Ａ）の周囲にあらかじめ記載された数字の中から表示したい数字を矢印が指し示すようにするなどの方法が考えられる。
【００４３】  さらに、本実施形態においては、容器本体（１０）の形状を円柱状としたが、四角柱など様々な形状にて実施することが可能である。
【００４４】  そして、本実施形態においては、棒状の食材（６０）であるスパゲティを容器本体（１０）に入れる方法として、底蓋部（１４）を着脱自在としたが、底蓋部（１４）ではなく蓋部（２０）を取り外し自在の構造として上方からスパゲティを入れられるようにすることもできる。
その場合は、例えば図６の第二の実施形態（第２実施形態）のように、円筒状側壁部（１３）上端に複数のＬ字溝（４２）を設け、それに係合する係止突起（４４）を蓋部（２０）に設けるとよい。その際に、上記Ｌ字溝（４２）の下部奥に上記の係止突起（４４）を配置したときに、平面視において、計量口（２２）の内周面（２２Ａ）が仕切壁（１６）の表面（１６Ａ）に接する位置に配置されるように設定しておけば、係止突起（４４）をＬ字溝（４２）の下部奥に嵌め込むことで、蓋部（２０）を円筒状側壁部（１３）の上部に固定することができると共に、計量口（２２）を所定位置に配設することができる。また、上記の係合を解除することで、蓋部（２０）を円筒状側壁部（１３）上部から外すことが可能である。
【符号の説明】
【００４５】  １０：容器本体，１２：内周壁，１３：円筒状側壁部，１４：底蓋部，１６：仕切壁，１６Ａ：（仕切壁の）表面，１６Ｂ：（仕切壁の）第１湾曲部分，１８：（本体の）内部空間，２０：蓋部，２１：計量口変更ダイヤル用孔，２２：計量口，２２Ａ：（計量口の）内周面，２４：（計量値用）数字表示窓，２６：（サイズ用）数字表示窓，２７：（サイズ用）ダイヤル式表示板用孔，２８：（時間用）数字表示窓，２９：（時間用）ダイヤル式表示板用孔，３０：計量口変更ダイヤル，３１：計量口変更ダイヤル本体，３２：計量調節口，３３：短円筒状突起部，３４：計量口変更ダイヤル回転軸，３５：計量口変更ダイヤルハンドル部，３６：（サイズ用）ダイヤル式表示板，３６Ａ：（サイズ用）ダイヤル式表示板本体，３６Ｂ：（サイズ用）ダイヤル式表示板回転軸，３６Ｃ：（サイズ用）ダイヤル式表示板ハンドル部，３８：（時間用）ダイヤル式表示板，３８Ａ：（時間用）ダイヤル式表示板本体，３８Ｂ：（時間用）ダイヤル式表示板回転軸，３８Ｃ：（時間用）ダイヤル式表示板ハンドル部，４０：上蓋部，４２：Ｌ字溝，４４：係止突起，５０：計量機能付き食品保存容器，６０：（棒状の）食材．
【図１】
2020196531.tif 000003
【図２】
2020196531.tif 000004
【図３】
2020196531.tif 000005
【図４】
2020196531.tif 000006
【図５】
2020196531.tif 000007
【図６】
2020196531.tif 000008